(57)【要約】【課題】構成が簡単で安価な使い勝手のよい植木鉢の転倒を防止する植木鉢固定器具を提供する。また、植木鉢固定器具の使用方法に関する。【解決手段】植木鉢固定器具は、第一の側の差し込み棒２１と、その差し込み棒の一端に一方の端部が取り付けられたチェーン３と、そのチェーンの他方の端部に一端を取り付けられた弾性体４と、その弾性体の他端に取り付けられた第二の側の差し込み棒２２を備える。また、前記チェーン３の前記一方の端部３ａを複数に分岐させて、各分岐端にそれぞれ第一の側の差し込み棒２１の一端を取り付けてもよい。さらにまた、前記チェーンの前記他方の端部３ｂを複数に分岐させて、各分岐端にそれぞれ弾性体４を介して第二の側の差し込み棒２２が取り付けられてもよい。前記弾性体と前記チェーンは、前記弾性体のチェーン側端部に設けられたフック６を介して係合される。【選択図】図１
2015195789.tif 000002
【特許請求の範囲】
【請求項１】
第一の側の差し込み棒と、該差し込み棒の一端に一方の端部が取り付けられたチェーンと、該チェーンの他方の端部に一端を取り付けられた弾性体と、該弾性体の他端に取り付けられた第二の側の差し込み棒を備えたことを特徴とする植木鉢固定器具。
【請求項２】
前記チェーンの前記一方の端部を複数に分岐させて、各分岐端に第一の側の差し込み棒の一端が取り付けられたことを特徴とする請求項１に記載の植木鉢固定器具。
【請求項３】
前記チェーン端部の複数の分岐部分が、該チェーン端部にとりつけられた紐によって形成されたことを特徴とする請求項２に記載の植木鉢固定器具。
【請求項４】
前記チェーンの前記他方の端部を複数に分岐させて、各分岐端部にそれぞれ弾性体を介して第二の側の差し込み棒が取り付けられたことを特徴とする請求項１ないし３のいずれかに記載の植木鉢固定器具。
【請求項５】
前記弾性体と前記チェーンが、前記弾性体のチェーン側端部に設けられたフックを介して係合されることを特徴とする請求項１ないし４のいずれかに記載の植木鉢固定器具。
【請求項６】
前記差し込み棒が屈曲可能な素材で形成されたことを特徴とする請求項１ないし５のいずれかに記載の植木鉢固定器具。
【請求項７】
前記植木鉢固定器具は、第一の側の差し込み棒が植木鉢の土に差し込まれ、該差し込み棒の一端に取り付けられたチェーンが植木鉢支持台下面を通して前記植木鉢の反対側に回され、前記チェーンの他端部に取り付けられた弾性体の他端に取り付けられた第二の側の差し込み棒が前記植木鉢の土に差し込まれることにより植木鉢が所定位置に固定されることを特徴とする植木鉢固定方法。
【請求項８】
前記弾性体の端に設けられたフックの前記チェーンとの係合位置を選択することにより固定器具の緊張度を調整することを特徴とする請求項７の植木鉢固定方法。
【発明の詳細な説明】
【技術分野】
【０００１】  本発明は、植木鉢を棚などの台に乗せて花卉や盆栽などを育成するときに、植木鉢の転倒や台からの落下を防ぐために使用する植木鉢の固定器具およびその固定方法に係るものである。
【背景技術】
【０００２】  地面やコンクリートの床面に植木鉢を直において花卉を育成すると、照り返しなどの影響で環境が不適当になったり、病害虫の被害が多かったり、細かい世話をするのに適さなかったりする場合があるので、棚状の台を設けてその上で栽培、育成されることが多い。例えば、シンビジュウムやデンドロビュームなどの洋ラン類は、日当たりと風通しの良い場所で、雨や水やりで土が跳ね上がらない程度の高さに設けた棚のうえで栽培される。また、盆栽も適度に風が通るようにして、根焼けや病害虫を避けるために棚などの台の上で育成し、手入れをする。【０００３】  シンビジュウムやデンドロビュームなどの洋ラン類は、植木鉢の大きさに比較して植物の背が高くて倒れやすく、盆栽も背の高いものは、人との接触や強風などの影響で倒れ、台から落ちて植木鉢が破損したり、大切な枝が折れたりして植物自体を損傷してしまったりする。このため、洋ラン類や、縦長の植木鉢を使用するシュンランやカンランの栽培では掛け台といわれる支持のための道具を使ったり、盆栽の場合には植木鉢をひもで縛って固定したりしていたが、掛け台は植木鉢の大きさに応じて変えなければならず、台とは固定されていないため位置ずれで移動するおそれがあり、又、盆栽を一々ひもで縛るのは手間であった。【０００４】  このような問題の改善のために、特許文献１（特開２００２−２２３６４０号公報）は、「植木鉢転倒防止台」の発明を開示した。これは、植木鉢の転倒防止とともに、簡単に移動できるようにするために、図８に見られるように、方形の縁５２の内側を枡組５３にし、下部に足５４を設けた台５１に、索状体５５を掛け、台の上に設置した植木鉢５７に索状体のフック５６を掛けて植木鉢を台に固定するものである。【０００５】  また、特許文献２（特開２００５−５８０２０号公報）には、各サイズの鉢６７の大きさや長さに対応でき、かつ見栄えが良く、安定感を醸し出すと共に清掃がしやすいものとして、第９図に示したように、小円形枠台６１に回動自在な支持杆６２を複数本配置すると共に支持杆６２に複数個の調整穴６５を穿設し、円形枠台６４には回動自在な中空支柱６３を複数本配置し、かつ支持杆６２の下端を中空支柱６３に挿入すると共にそれを着脱可能に接続させる構造を有する植木鉢転倒防止用スタンドが開示されている。【０００６】  さらにまた、特許文献３（特開２００５−５８０２０号公報）には、風圧あるいは外圧から植木鉢の転倒を防ぎ、かつ簡単迅速に設置及び収納できる植木鉢転倒防止具として、第１０図に示したように、植木鉢をリング形台座７２の中央に置き、四方から板バネ７１の内向力で植木鉢を保持し、かつ接合したリング形台座７２の重量で風圧あるいは外圧に対抗するものが開示されている。
【先行技術文献】
【特許文献】
【０００７】
【特許文献１】特開２００２−２２３６４０号公報
【特許文献２】特開２００５−５８０２０号公報
【特許文献３】特開２００６−２０６１１号公報
【発明の概要】
【発明が解決しようとする課題】
【０００８】  ところが、上記特許文献１の場合は内側を枡組にした専用の台が必要であり、通常使用されている棚状の木の台などには適用できない。また、植木鉢を固定する索状体の台への取り付けやその長さの調節は個別に行わなければならないので、煩雑で面倒である。【０００９】  また、上記特許文献２の場合は、スタンドは棚などの台上に載置可能であるが、その円形枠台は台には固定されないので、人が誤って接触したりすると台から落下して植木鉢が破損したり、植物が折れたり傷ついたりするおそれがある。【００１０】  さらに又、上記特許文献３の場合は、重量のあるリング形台座で風圧あるいは外圧力に対抗するものであるが、この植木鉢転倒防止具の製作には複雑な金型が必要となり、しかも鉢の大きさによって何種類もの金型を用意しなければならず高価となる。又、この植木鉢転倒防止具は台には固定されないので、人が誤って接触したりすると台から落下して植木鉢が破損したり、植物が折れたり傷ついたりするおそれがある、という問題があった。【００１１】  本願の発明者は、上記の問題点を解決すべく種々検討を行った結果、簡単な構成で使いやすく、製造は容易かつ安価である植木鉢固定器具を発明し、本発明を完成するに至ったものである。【００１２】  すなわち、本発明は、上記のような課題を解決するためになされたもので、本発明の目的は、簡単な構成で設置が簡単な使い勝手のよい植木鉢の転倒や転落を防止する器具を提供しようとするものである。
また、本発明の他の目的は、安価な植木鉢固定器具を提供しようとするものである。
【課題を解決するための手段】
【００１３】  上記課題を解決するために、請求項１に記載の植木鉢固定器具は、第一の側の差し込み棒と、該差し込み棒の一端に一方の端部が取り付けられたチェーンと、該チェーンの他方の端部に一端を取り付けられた弾性体と、該弾性体の他端に取り付けられた第二の側の差し込み棒を備えたことを特徴とする。【００１４】  また、請求項２に記載の発明の態様は、請求項１に記載の植木鉢固定器具において、前記チェーンの前記一方の端部を複数に分岐させて、各分岐端に第一の側の差し込み棒の一端が取り付けられたことを特徴とする。【００１５】  また、請求項３に記載の発明の態様は、請求項２に記載の植木鉢固定器具において、前記チェーン端部の複数の分岐部分が、該チェーン端部にとりつけられた紐によって形成されたことを特徴とする。【００１６】  また、請求項４に記載の発明の態様は、請求項１ないし３のいずれかに記載の植木鉢固定器具において、前記チェーンの前記他方の端部を複数に分岐させて、各分岐端部にそれぞれ弾性体を介して第二の側の差し込み棒が取り付けられたことを特徴とする。【００１７】  また、請求項５に記載の発明の態様は、請求項１ないし４のいずれかに記載の植木鉢固定器具において、前記弾性体と前記チェーンが、前記弾性体のチェーン側端部に設けられたフックを介して係合されることを特徴とする。【００１８】  また、請求項６に記載の発明の態様は、請求項１ないし５のいずれかに記載の植木鉢固定器具において、前記差し込み棒が屈曲可能な素材で形成されたことを特徴とする。【００１９】  また、請求項７に記載の発明は、植木鉢固定方法において、前記植木鉢固定器具は、第一の側の差し込み棒が植木鉢の土に差し込まれ、該差し込み棒の一端に取り付けられたチェーンが植木鉢支持台下面を通して前記植木鉢の反対側に回され、前記チェーンの他端部に取り付けられた弾性体の他端に取り付けられた第二の側の差し込み棒が前記植木鉢の土に差し込まれることにより植木鉢が所定位置に固定されることを特徴とする。【００２０】  また、請求項８に記載の発明の態様は、請求項７の植木鉢固定方法において、前記弾性体の端に設けられたフックの前記チェーンとの係合位置を選択することにより固定器具の緊張度を調整することを特徴とする。
【発明の効果】
【００２１】  本発明は上記構成を備えることにより、以下に示すような優れた効果を奏する。すなわち、請求項１に記載の発明によれば、植木鉢固定器具は、第一の側の差し込み棒と、その差し込み棒の一端に一方の端部が取り付けられたチェーンと、そのチェーンの他方の端部に一端を取り付けられた弾性体と、その弾性体の他端に取り付けられた第二の側の差し込み棒を備えたことにより、簡単な作業で植木鉢の棚状の台への固定を容易に行うことができる。【００２２】  また、請求項２の発明の態様によれば、請求項１に記載の植木鉢固定器具において、前記チェーンの一方の端部を複数に分岐させて、各分岐の端に第一の側の差し込み棒の一端が取り付けられたことにより、これを使用した場合には植木鉢は少なくとも３点で支持されることになり、安定した固定状態が得られる。【００２３】  また、請求項３の発明の態様によれば、請求項２に記載の植木鉢固定器具において、前記チェーン端部の複数の分岐部分が、チェーン端部にとりつけられた紐によって形成されたことにより、より柔軟に植木鉢の外周に沿って固定器具を設置することができる。【００２４】  また、請求項４の発明の態様によれば、請求項１ないし３のいずれかに記載の植木鉢固定器具において、植木鉢の反対側に回されるチェーンの他方の端部を複数に分岐させて、各分岐端部にそれぞれ弾性体を介して第二の側の差し込み棒が取り付けられたことにより、これを使用した場合には植木鉢は３点あるいは４点で支持されることになり、より安定した固定状態が得られる。【００２５】  また、請求項５の発明の態様によれば、請求項１ないし４のいずれかに記載の植木鉢固定器具において、弾性体とチェーンが前記弾性体のチェーン側端部に設けられたフックを介して係合されることにより、フックのチェーンとの係合位置を自由に選ぶことができるので、チェーンの長さを適度に設定でき、植木鉢固定器具による植木鉢への緊張力を加減でき台への取り付けが確実に行える。【００２６】  また、請求項６の発明の態様によれば、請求項１ないし５のいずれかに記載の植木鉢固定器具において、前記差し込み棒が容易に屈曲できる素材で形成されたことにより、浅い植木鉢の場合はその深さに応じて差し込み棒を屈曲して使用したり、折り曲げた部分を植木鉢の縁に引っかけて使用したりすることができるので便利である。【００２７】  また、請求項７の発明の態様によれば、植木鉢固定方法において、前記植木鉢固定器具は、第一の側の差し込み棒が植木鉢の土に差し込まれ、その差し込み棒の一端に取り付けられたチェーンが植木鉢支持台下面を通して前記植木鉢の反対側に回され、前記チェーンの他端部に取り付けられた弾性体の他端に取り付けられた第二の側の差し込み棒が前記植木鉢の土に差し込まれていることにより植木鉢が所定位置に固定されることにより、植木鉢を支持台に保持できるので転倒や転落を防ぐことができる。【００２８】  また、請求項８の発明の態様によれば、請求項７の植木鉢固定方法において、前記弾性体の端に設けられたフックのチェーンとの係合位置を選択することにより固定器具の緊張度を自由に調整することができる。
【図面の簡単な説明】
【００２９】
【図１】  図１は本発明の一実施例に係る植木鉢固定器具の説明図である。
【図２】  図２は本発明の他の実施例に係る植木鉢固定器具の説明図である。
【図３】  図３は本発明の一実施態様に係る分岐部分の説明図である。
【図４】  図４は発明のさらに他の実施例に係る植木鉢固定器具の説明図である。
【図５】  図５は本発明に係る植木鉢固定器具の使用態様を示す説明図である。
【図６】  図６は本発明に係る植木鉢固定器具の使用方法を示す説明図である。
【図７】  図７は本発明に係る植木鉢固定器具の使用方法を示す説明図である。
【図８】  図８は従来の植木鉢転倒防止台の斜視図である。
【図９】  図９は従来の植木鉢転倒防止スタンドを示す斜視図である。
【図１０】  図１０は従来の植木鉢転倒防止具の斜視図である。
【発明を実施するための形態】
【００３０】  以下、図面を参照して本発明の実施形態を説明する。但し、以下に示す実施形態は、本発明の技術思想を具体化するための植木鉢固定器具及びその使用方法を例示するものであって、本発明をこれらの実施形態に特定することを意図するものではなく、特許請求の範囲に含まれるその他の実施形態のものにも等しく適応し得るものである。
【実施例】
【００３１】  以下、本発明の一実施例を、図面について説明する。
図１に示すように、植木鉢固定器具１は、第一の側の差し込み棒２１と、その差し込み棒２１の一端２１ａに一方の端部３ａが取り付けられたチェーン３と、そのチェーン３の他方の端部３ｂに一端４ａを取り付けられた弾性体４と、その弾性体の他端４ｂに一端を取り付けられた第二の側の差し込み棒２２を備えているものである。差し込み棒２１、２２は、植木鉢の土に差し込まれる部分であり、一定の長さに切断した針金を加工して一端に輪形のチェーンとの連結部２ｒを設けたものや、金属板を打ち抜いてくさび形に成形したものでもよい。チェーン３は、針金を加工した金属性のチェーンでも、プラスチック製のチェーンでもよいが、想定される風などの外圧に耐えうる強度を有するものを用いる。弾性体４は、適当な強度で植木鉢を棚などの台に固定するものであり、円筒形引張りコイルばねなどの金属ばねや、耐久性のあるゴム、合成樹脂などの非金属製ばねが用いられる。弾性体４の一方の端４ａはフックなどを介してチェーンの所望の箇所に係合され、他方の端４ｂは第二の側の差し込み棒２２に取り付けられる。【００３２】  実施の一態様として図２に示すように、植木鉢固定器具１において、チェーン３の一方の端部３ａを複数に分岐させて、各分岐端３ｃ、３ｄにそれぞれ第一の側の差し込み棒２１、２１の一端が取り付けられる。このように二股に分岐すると、第二の側が分岐してない場合には３点指示、二つに分岐させた場合には４点支持となり、植木鉢のより安定した保持が可能である。【００３３】  また、図３に示す実施の態様は、図２に示した植木鉢固定器具１において、チェーン端部３ａの複数の分岐部分３ｃ、３ｄが、チェーン端部３ａにとりつけられた紐５によって形成されている。紐５は適当な太さおよび長さの紫外線により劣化し難いものを用いるが、紐の場合は植木鉢の外周や台に柔軟に接触対応できる。【００３４】  また、図４に示す実施の態様は、図１から図３のいずれかに示す植木鉢固定器具１において、チェーン３の植木鉢の第二の側に回る他方の端部３ｂを複数に分岐させて、各分岐端部３ｅ、３ｆにそれぞれ弾性体４１、４２を介して第二の側の差し込み棒２２、２２が取り付けられたものである。第二の側が複数の差し込み棒により保持されることになり、植木鉢はより強固に保持され安定する。【００３５】  また、これらの実施例においては、図１、図３、図４に示したように、植木鉢固定器具１において、弾性体４とチェーン３が、弾性体４のチェーン側の端部４ａ、４１ａ、４２ａに設けられたフック６を介して係合される。弾性体４ａ、４１ａ、４２ａがフック６によってチェーン３の任意に選択されるリングに掛けられてチェーンと結合されるようにしたことにより、結合の位置が選べるのでチェーンの長さを必要に応じて決定できるから、緊張力を加減でき、的確に台への固定ができることになる。なお、フック６は弾性体である金属ばねの一端を加工してばねと一体に設けてもよいし、別に形成したものをばねに取り付けてもよい。【００３６】  また、これらの実施例において、植木鉢固定器具の差し込み棒２１、２２が屈曲可能な素材で形成される。盆栽などで植木鉢が浅くて土の深さがない場合にも図５のように差し込み棒２１、２２を曲��て植木鉢７の縁に掛けることによって、植木鉢を載せた台８に固定することができる。【００３７】  また、図６および図７は、前記植木鉢固定器具１を用いた植木鉢固定方法の実施例を説明するものである。前記植木鉢固定器具１は、第一の側の差し込み棒２１、２１が植木鉢７の土に差し込まれ、それらの差し込み棒２１、２１の一端に取り付けられたチェーン３が植木鉢支持台８の下面を通して植木鉢７の反対側に回され、チェーン３の他端部に取り付けられる弾性体４の他端に取り付けられた第二の側の差し込み棒２２が植木鉢７の土に差し込まれることにより植木鉢７が載置された台８の所定位置に固定される。したがって、従来の植木鉢転倒防止器具のように転倒防止だけでなく、植木鉢の横滑りを防ぐことができるので台からの落下を防止できる。【００３８】  また、図７に示すように植木鉢固定方法の実施態様において、弾性体４の一端に設けられたフック６のチェーン３との係合位置を選択することにより植木鉢固定器具の緊張度を調整することが簡単にできる。
【産業上の利用可能性】
【００３９】  以上説明したように、本発明によれば、植木鉢固定器具において、簡単な構成で、使い勝手のよいものを安価に提供することができる。
【符号の説明】
【００４０】１      植木鉢固定器具
２１    第一の側の差し込み棒
２２    第二の側の差し込み棒
２ａ    チェーンとの連結部
３      チェーン
３ａ    チェーン３の一方の端部
３ｂ    チェーン３の他方の端部
３ｃ、３ｄ、３ｅ、３ｆ      チェーン３の各分岐端部
４      弾性体
４ａ    弾性体４の一方の端
４ｂ    弾性体４の他方の端
５      紐
６      フック
７      植木鉢
８      植木鉢支持台
【図１】
2015195789.tif 000003
【図２】
2015195789.tif 000004
【図３】
2015195789.tif 000005
【図４】
2015195789.tif 000006
【図５】
2015195789.tif 000007
【図６】
2015195789.tif 000008
【図７】
2015195789.tif 000009
【図８】
2015195789.tif 000010
【図９】
2015195789.tif 000011
【図１０】
2015195789.tif 000012